(57)【要約】【課題】操作ユニットに対して外付ユニットを容易に取り付けることができるユニット取付構造を提供する。【解決手段】  本発明は、複写機に設けられて操作者に操作される操作ユニット１０と、操作ユニット１０の一端面に隣接して配置されるテンキーユニット２０とを連結するユニット取付構造３０であって、操作ユニット１０に設けられた係合穴３１と、テンキーユニット２０に設けられ、テンキーユニット２０を操作ユニット１０の一端面に隣接させた状態で係合穴３１に引っ掛けられる係合フック３２と、操作ユニット１０に設けられた嵌合凹部３３と、テンキーユニット２０に設けられ、係合フック３２を係合穴３１に引っ掛けた状態で嵌合凹部３３に嵌合する嵌合凸部３４と、を備えている。【選択図】図６
2020064112.tif 000002
【特許請求の範囲】
【請求項１】
画像形成装置に設けられて操作者に操作される操作ユニットと、前記操作ユニットの一端面に隣接して配置される外付ユニットとを連結するユニット取付構造であって、
前記操作ユニットと前記外付ユニットの何れか一方に設けられた係合穴と、
前記操作ユニットと前記外付ユニットの何れか他方に設けられ、前記外付ユニットを前記操作ユニットの一端面に隣接させた状態で前記係合穴に引っ掛けられる係合フックと、
前記操作ユニットと前記外付ユニットの何れか一方に設けられた嵌合凹部と、
前記操作ユニットと前記外付ユニットの何れか他方に設けられ、前記係合フックを前記係合穴に引っ掛けた状態で前記嵌合凹部に嵌合する嵌合凸部と、を備えていることを特徴とするユニット取付構造。
【請求項２】
前記嵌合凸部は、板状に形成され、
前記嵌合凹部は、前記嵌合凸部を表裏両面から噛み込むことを特徴とする請求項１に記載のユニット取付構造。
【請求項３】
前記嵌合凸部と前記嵌合凹部とは、前記操作ユニットと前記外付ユニットとに含まれる金属製のフレームの一部に形成され、
前記外付ユニットは、前記嵌合凸部を前記嵌合凹部に嵌合させた状態で前記操作ユニットを介して前記画像形成装置のアースに接続されることを特徴とする請求項１または２に記載のユニット取付構造。
【請求項４】
請求項１ないし３のいずれかに記載のユニット取付構造を備えていることを特徴とする画像形成装置。
【発明の詳細な説明】
【技術分野】
【０００１】
本発明は、操作者によって操作される操作ユニットに外付ユニットを取り付けるためのユニット取付構造および画像形成装置に関する。
【背景技術】
【０００２】
例えば、特許文献１には、画像読取部の前面に配置された操作パネルユニットを備えた複写機が開示されている。操作パネルユニットは、上下方向に姿勢変更可能に設けられており、スタートボタンやタッチパネルを備えている。操作パネルユニットの側端面には、事後的にカードリーダユニット等の追加ユニットを装着するための装着部が設けられている。カードリーダユニットに内蔵された取り付け金具は、操作パネルユニットの装着部に対して複数のビスを使って固定されていた。
【先行技術文献】
【特許文献】
【０００３】
【特許文献１】特開２０１１−２０３３７１号公報
【発明の概要】
【発明が解決しようとする課題】
【０００４】
しかしながら、上記した複写機では、カードリーダユニットが操作パネルユニットにビス止めされるため、作業者は工具を使用しなければならず、取付作業に手間がかかっていた。また、例えば、複写機の側面を壁に寄せて設置した場合、操作パネルユニットの側端面と壁との間に、作業者が工具で作業するスペースを確保することができなかった。したがって、カードリーダユニットを装着部にビス止めするためには、複写機を移動させなければならず、カードリーダユニットの取付作業に多くの時間と手間がかかっていた。
【０００５】
本発明は、上記課題を解決するために、操作ユニットに対して外付ユニットを容易に取り付けることができるユニット取付構造および画像形成装置を提供する。
【課題を解決するための手段】
【０００６】
上記した目的を達成するため、本発明は、画像形成装置に設けられて操作者に操作される操作ユニットと、前記操作ユニットの一端面に隣接して配置される外付ユニットとを連結するユニット取付構造であって、前記操作ユニットと前記外付ユニットの何れか一方に設けられた係合穴と、前記操作ユニットと前記外付ユニットの何れか他方に設けられ、前記外付ユニットを前記操作ユニットの一端面に隣接させた状態で前記係合穴に引っ掛けられる係合フックと、前記操作ユニットと前記外付ユニットの何れか一方に設けられた嵌合凹部と、前記操作ユニットと前記外付ユニットの何れか他方に設けられ、前記係合フックを前記係合穴に引っ掛けた状態で前記嵌合凹部に嵌合する嵌合凸部と、を備えている。
【０００７】
この場合、前記嵌合凸部は、板状に形成され、前記嵌合凹部は、前記嵌合凸部を表裏両面から噛み込むことが好ましい。
【０００８】
この場合、前記嵌合凸部と前記嵌合凹部とは、前記操作ユニットと前記外付ユニットとに含まれる金属製のフレームの一部に形成され、前記外付ユニットは、前記嵌合凸部を前記嵌合凹部に嵌合させた状態で前記操作ユニットを介して前記画像形成装置のアースに接続されることが好ましい。
【０００９】
上記した目的を達成するため、本発明の画像形成装置は、上記のいずれかに記載のユニット取付構造を備えている。
【発明の効果】
【００１０】
本発明によれば、画像形成装置の操作ユニットに対して外付ユニットを容易に取り付けることができる。
【図面の簡単な説明】
【００１１】
【図１】本発明の一実施形態に係る複合機を示す斜視図である。
【図２】本発明の一実施形態に係る操作ユニットおよびテンキーユニットを示す斜視図である。
【図３】本発明の一実施形態に係る操作ユニットの裏側を示す斜視図である。
【図４】本発明の一実施形態に係るテンキーユニットを示す分解斜視図である。
【図５】本発明の一実施形態に係る操作ユニットの可動フレームおよびテンキーユニットの外付フレームを示す斜視図である。
【図６】本発明の一実施形態に係る操作ユニットの可動フレームにテンキーユニットの外付フレームを取り付けた状態を示す斜視図である。
【図７】本発明の一実施形態に係る操作ユニットにテンキーユニットを取り付けた状態を裏側から示す斜視図である。
【図８Ａ】本発明の一実施形態の変形例に係る操作ユニットの可動フレームの一部を示す斜視図である。
【図８Ｂ】本発明の一実施形態の他の変形例に係る操作ユニットの可動フレームの一部を示す斜視図である。
【図９Ａ】本発明の一実施形態の変形例に係る嵌合凹部を示す斜視図である。
【図９Ｂ】本発明の一実施形態の他の変形例に係る嵌合凹部を示す斜視図である。
【発明を実施するための形態】
【００１２】
以下、添付の図面を参照しつつ、本発明の実施形態について説明する。なお、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。
【００１３】
［複合機の概要］
図１を参照して、画像形成装置の一例としての複合機１の全体の構成について説明する。図１は複合機１を示す斜視図である。
【００１４】
図１に示すように、複合機１は、電子写真方式でシート（図示せず）に画像を形成するプリント装置１Ａと、原稿の画像情報を光学的に読み取るスキャナ装置１Ｂと、を備えている。複合機１は、プリント装置１Ａとスキャナ装置１Ｂとの間に画像形成されたシートの取り出し口を備えた所謂胴内排紙型の装置である。
【００１５】
＜プリント装置＞
プリント装置１Ａは、略直方体状の外観を構成する作像筐体２を備えている。作像筐体２の下側には、紙製のシートを収容する複数（例えば４つ）の給紙カセット３が着脱可能に設けられている。作像筐体２の上面には、排紙トレイ４が設けられている。なお、図示は省略するが、作像筐体２の内部には、電子写真方式でシートに画像を形成するために必要な機器（例えば、給紙装置、トナー供給装置、作像装置および定着装置等）が設けられている。
【００１６】
＜スキャナ装置＞
スキャナ装置１Ｂは、排紙トレイ４との間に空間を挟んで作像筐体２の上部に配置されている。スキャナ装置１Ｂは、作像筐体２の右上部に配置された支柱部５と、作像筐体２の後上部に配置された壁部（図示せず）とによって支持されている。スキャナ装置１Ｂは、原稿画像を読み取る光学系機器（図示せず）を内蔵した光学ユニット６と、複写される原稿を読み取り位置に搬送する自動給紙ユニット７と、を含んでいる。自動給紙ユニット７は、画像を読み取る原稿を載置するための原稿給紙トレイ７Ａと、画像読み取り後に排紙された原稿を受ける原稿排出トレイ７Ｂと、を有している。
【００１７】
［操作ユニット］
次に、図１ないし図３を参照して、複合機１に設けられた操作ユニット１０について説明する。図２は操作ユニット１０およびテンキーユニット２０を示す斜視図である。図３は操作ユニット１０の裏側を示す斜視図である。
【００１８】
図１に示すように、操作ユニット１０は、スキャナ装置１Ｂ（光学ユニット６）の前面部に設けられている。操作ユニット１０は、操作者に操作されて画像形成処理に関する様々な操作指示を受け付けるユニットである。
【００１９】
図２および図３に示すように、操作ユニット１０は、可動フレーム１１と、可動ケース１２と、タッチパネル１３と、を含んでいる。なお、本実施形態では、タッチパネル１３を上方に向けた姿勢を操作ユニット１０の基準姿勢とし、方向を示す用語は基準姿勢における方向を示すこととする。
【００２０】
＜可動フレーム＞
可動フレーム１１は、例えば、プレス加工された金属板である（図５等も参照）。可動フレーム１１は、可動ケース１２に覆われて可動ケース１２を内側から支持する。可動フレーム１１の表面（上面）には、タッチパネル１３や電子基板（図示せず）等が固定されている。また、図３に示すように、可動フレーム１１の裏面（下面）にはチルト機構１４が設けられている。操作ユニット１０は、チルト機構１４を介して光学ユニット６の前面に取り付けられる（図１参照）。チルト機構１４は、操作ユニット１０の傾斜角度を変更し、その傾斜角度を保持する機能を有している（図１の黒塗り矢印参照）。
【００２１】
図３に示すように、可動フレーム１１の裏面の右側には、レセプタクルコネクター１５が固定されている。レセプタクルコネクター１５は、タッチパネル１３や複合機１のコントローラー（図示せず）等に電気的に接続されている。なお、可動フレーム１１は、複合機１のアースＧ（図１参照）に電気的に接続されている。
【００２２】
＜可動ケース＞
図２および図３に示すように、可動ケース１２は、例えば、合成樹脂製で、厚みの薄い直方体状に形成されている。図２に示すように、可動ケース１２の表面には、タッチパネル１３を嵌め込むパネル開口部１２Ａが形成されている。図３に示すように、可動ケース１２の裏面の前後方向中央付近は、前後両側よりも下方に膨らむように形成されている。可動ケース１２の裏面の略中央部には、チルト機構１４を露出させるチルト開口部１２Ｂが形成されている。可動ケース１２の裏面の右側には、レセプタクルコネクター１５を露出させる接続開口部１２Ｃが形成されている。なお、可動ケース１２には、接続開口部１２Ｃを塞ぐための着脱式のカバー（図示せず）が取り付けられる（図３ではカバーを取り外した状態を示す。）。
【００２３】
＜タッチパネル＞
図２に示すように、タッチパネル１３は、可動フレーム１１の上面に固定されて可動ケース１２のパネル開口部１２Ａから露出している。タッチパネル１３は、コントローラー等に電気的に接続されている。タッチパネル１３は、コントローラーに制御され、画像形成動作の設定情報や様々な設定条件を入力するためのボタン等を表示する。
【００２４】
なお、図示は省略するが、可動フレーム１１に支持された電子基板上には、複写の開始を指示するスタートボタン等の複数のボタンも実装されており、可動ケース１２の表面には、これらのボタンを露出させるための穴も設けられている。
【００２５】
ここで、図１および図２に示すように、操作ユニット１０には、ユーザーの必要に応じてテンキーユニット２０等の外付ユニットを取り付けることができる。テンキーユニット２０は、数字等を入力するための装置であって、操作ユニット１０の右端面（一端面）に隣接して配置される。なお、本実施形態では、外付ユニットの一例としてテンキーユニット２０について説明するが、外付ユニットは、テンキーユニット２０に限らず、例えば、ユーザーの認証を行うためのカードリーダーユニット（図示せず）等であってもよい。つまり、外付ユニットは、操作ユニット１０の機能拡張のために別途取り付けられる装置であれば如何なるものでもよい。
【００２６】
［テンキーユニット］
図２および図４を参照して、テンキーユニット２０について説明する。図４はテンキーユニット２０を示す分解斜視図である。
【００２７】
テンキーユニット２０は、外付フレーム２１と、外付ケース２２と、複数（例えば１５個）の押しボタン２３と、を含んでいる。
【００２８】
＜外付フレーム＞
図４に示すように、外付フレーム２１は、例えば、プレス加工された金属板である。外付フレーム２１は、外付ケース２２に覆われて外付ケース２２を内側から支持する。外付フレーム２１の表面（上面）には、複数の押しボタン２３を実装した電子基板（図示せず）等が固定される。
【００２９】
＜外付ケース＞
図２に示すように、外付ケース２２は、例えば、合成樹脂製で、厚みの薄い直方体状に形成されている。外付ケース２２は、表面側から見て、可動ケース１２よりも小さな長方形状に形成されている。図４に示すように、外付ケース２２は、上方の上側ケース２４と、下方の下側ケース２５とに分割可能に構成されている。
【００３０】
上側ケース２４の表面（上面）には、複数の押しボタン２３を露出させる複数のボタン開口部２４Ａが形成されている。複数のボタン開口部２４Ａは、例えば、３行６列の格子状に配置されている。下側ケース２５の内側には、複数の補強リブ２５Ａが形成されている。下側ケース２５の左側には、可動ケース１２の接続開口部１２Ｃを塞ぐための開口閉塞部２５Ｂが左方向に延びた状態に形成されている。つまり、下側ケース２５は、開口閉塞部２５Ｂの分だけ上側ケース２４よりも左右方向に長く形成されている。開口閉塞部２５Ｂは、可動ケース１２の形状に合わせて、前後両側よりも前後方向中央付近で下方に膨らむように形成されている。また、下側ケース２５の前後両側壁には、一対のケースフック２６が左方向に延びた状態に形成されている。
【００３１】
＜押しボタン＞
複数の押しボタン２３は、３行６列の格子状に配列され、電子基板（図示せず）に実装されている。電子基板は外付フレーム２１の上面に固定され、外付フレーム２１が上側および下側ケース２４，２５で挟まれると、各押しボタン２３は上側ケース２４のボタン開口部２４Ａを貫通する。各押しボタン２３は、上側ケース２４の表面よりも僅かに突出している。また、電子基板にはワイヤーハーネス２７の一端部が接続され、ワイヤーハーネス２７の他端部にはプラグコネクター２８が接続されている（図７参照）。ワイヤーハーネス２７は、外付フレーム２１の裏面に固定された配線部材２９（図７も参照）に位置決めされている。配線部材２９は、電気絶縁性を有する合成樹脂等で形成されている。
【００３２】
［ユニット取付構造］
以上説明した操作ユニット１０とテンキーユニット２０とは、お互いを連結するためのユニット取付構造３０を備えている。図３および図４に示すように、ユニット取付構造３０は、操作ユニット１０の右端部とテンキーユニット２０の左端部とに設けられている。テンキーユニット２０は、その左端面を操作ユニット１０の右端面に接触させた状態で取り付けられる（図２参照）。
【００３３】
ところで、テンキーユニット２０は、複合機１の設置前または設置と同時期に取り付けられることもあるが、複合機１を設置した後に追加されることもある。例えば、複合機１の右側を壁に寄せて設置した場合、操作ユニット１０の右側のスペースが狭くなるため、テンキーユニット２０の取付作業が困難になることがある。そこで、本実施形態に係るユニット取付構造３０では、操作ユニット１０の右側に大きなスペースを確保することができない場合でも、テンキーユニット２０の取付作業を容易化する構造を有している。
【００３４】
図３ないし図５を参照して、ユニット取付構造３０について説明する。図５は操作ユニット１０の可動フレーム１１およびテンキーユニット２０の外付フレーム２１を示す斜視図である。
【００３５】
ユニット取付構造３０は、２つの係合穴３１と、２つの係合フック３２と、嵌合凹部３３と、嵌合凸部３４と、を備えている。
【００３６】
＜係合穴＞
図３および図５に示すように、２つの係合穴３１は、操作ユニット１０に設けられている。詳細に説明すると、図５に示すように、操作ユニット１０の可動フレーム１１は、タッチパネル１３等を保持する可動平板部１１Ａと、可動平板部１１Ａの右側を表面側（上側）に略直角に折り曲げて形成された可動立上げ部１１Ｂと、を含んでいる。２つの係合穴３１は、可動立上げ部１１Ｂの前後両側に形成された略四角形状の貫通穴である。２つの係合穴３１は、可動ケース１２の接続開口部１２Ｃに露出する位置に設けられている（図３参照）。なお、係合穴３１の形状は、四角形に限らず、自由に設定することができる。
【００３７】
＜係合フック＞
図４および図５に示すように、２つの係合フック３２は、テンキーユニット２０に設けられている。詳細に説明すると、テンキーユニット２０の外付フレーム２１は、押しボタン２３を実装した電子基板等を保持する外付平板部２１Ａと、外付平板部２１Ａの前後両側を表面側（上側）に略直角に折り曲げて形成された一対の外付立上げ部２１Ｂと、を含んでいる。２つの係合フック３２は、一対の外付立上げ部２１Ｂの左端部から前方に向かって突き出すように形成されている。２つの係合フック３２は、外付立上げ部２１Ｂの左端部を同じ方向に略直角に屈曲させることで形成されている。
【００３８】
＜嵌合凹部＞
図５に示すように、嵌合凹部３３は、操作ユニット１０に含まれる金属製の可動フレーム１１の一部に形成されている。詳細には、嵌合凹部３３は、可動フレーム１１の可動平板部１１Ａを部分的に下方に切り起こして右方に折り返された舌片部３３Ａと、舌片部３３Ａとの間に隙間を挟んで対向する可動平板部１１Ａの一部とによって形成されている。舌片部３３Ａは、可動平板部１１Ａの前後方向中央よりもやや後側で、可動立上げ部１１Ｂの近傍に形成されている。舌片部３３Ａは、平面から見て略四角形状に形成されている。舌片部３３Ａを切り起こした可動平板部１１Ａには、略四角形状の切抜き穴Ｈが開口している。舌片部３３Ａは、切抜き穴Ｈの右縁部を中心として下方に略直角に屈曲し、更に右方に略直角に屈曲して、正面から見て略Ｌ字状に形成されている。舌片部３３Ａの右方に延びた部分は、可動平板部１１Ａの下面と略平行に形成されている。
【００３９】
＜嵌合凸部＞
図４および図５に示すように、嵌合凸部３４は、テンキーユニット２０に含まれる金属製の外付フレーム２１の一部に形成されている。詳細には、嵌合凸部３４は、外付フレーム２１の外付平板部２１Ａの左端部から左方に突き出すように形成されている。嵌合凸部３４は、外付平板部２１Ａの前後方向中央よりも後側で、２つの係合フック３２の間に形成されている。また、嵌合凸部３４は、係合フック３２よりも左方向に設けられている。嵌合凸部３４は、平面から見て略四角形の板状に形成されている。
【００４０】
なお、図３に示すように、可動平板部１１Ａの裏面の右側には、前後一対の可動当接片３５が形成されている。２つの可動当接片３５は、可動ケース１２の接続開口部１２Ｃに露出する位置に設けられている。また、図４に示すように、外付平板部２１Ａの左端部には、前後一対の外付当接片３６が形成されている。２つの外付当接片３６は、嵌合凸部３４の前後両側に位置する外付平板部２１Ａを下方に略直角に折り曲げて形成されている。外付当接片３６は、係合フック３２よりも左方で、且つ嵌合凸部３４よりも右方に位置している。
【００４１】
［ユニット取付構造の作用］
次に、図５ないし図７を参照して、ユニット取付構造３０の作用、すなわち、操作ユニット１０に対してテンキーユニット２０を取り付ける工程について説明する。図６は可動フレーム１１に外付フレーム２１を取り付けた状態を示す斜視図である。図７は操作ユニット１０にテンキーユニット２０を取り付けた状態を裏側から示す斜視図である。なお、図５および図６では、ユニット取付構造の作用を分かりやすくするため、可動フレーム１１および外付フレーム２１を図示し、それら以外の部品の図示を省略している。
【００４２】
まず、作業者は、操作ユニット１０の可動ケース１２のカバーを取り外し、レセプタクルコネクター１５、係合穴３１、嵌合凹部３３および可動当接片３５を露出させる（図３参照）。また、作業者は、テンキーユニット２０の下側ケース２５を上側ケース２４から分離する。なお、外付フレーム２１や押しボタン２３を実装した電子基板は、上側ケース２４の内部に固定されている（図７参照）。
【００４３】
次に、図５に示すように、作業者は、テンキーユニット２０の外付フレーム２１等を操作ユニット１０の右側に配置する。そして、作業者は、２つの係合フック３２を２つの係合穴３１に差し込み、且つ嵌合凸部３４を嵌合凹部３３（舌片部３３Ａと可動平板部１１Ａとの間）に差し込む（図５の矢印参照）。なお、係合フック３２を係合穴３１に差し込むと、外付フレーム２１の一対の外付当接片３６が、可動フレーム１１一対の可動当接片３５に当接して、左右方向の位置決めがなされる。
【００４４】
続いて、図６に示すように、作業者は、係合フック３２を係合穴３１に差した状態で外付フレーム２１等を前方に向かってスライドさせる。すると、係合フック３２は、テンキーユニット２０を操作ユニット１０の右端面（一端面）に隣接させた状態で係合穴３１に引っ掛けられる。また、嵌合凸部３４は、係合フック３２を係合穴３１に引っ掛けた状態で嵌合凹部３３に嵌合する（実際には、嵌合したままスライドする）。この状態で、嵌合凹部３３（舌片部３３Ａおよび可動平板部１１Ａの一部）は、板状の嵌合凸部３４を表裏両面から噛み込んでおり、テンキーユニット２０は、操作ユニット１０の右端面に固定される（図７参照）。また、この状態で、外付ケース２２（上側ケース２４）の左側面は、可動ケース１２の右側面に当接している。さらに、テンキーユニット２０（外付ケース２２）の表面は、操作ユニット１０（可動ケース１２）の表面と略同一平面となっている。なお、外付フレーム２１（テンキーユニット２０（電子基板））は、嵌合凸部３４を嵌合凹部３３に嵌合させた状態で可動フレーム１１（操作ユニット１０）を介して複合機１のアースＧに接続される。
【００４５】
以上のように、テンキーユニット２０が操作ユニット１０に固定された状態で、レセプタクルコネクター１５やプラグコネクター２８は、操作ユニット１０等の下面側に配置されている。図７に示すように、作業者は、ワイヤーハーネス２７の先端に接続されたプラグコネクター２８をレセプタクルコネクター１５に差し込む。すると、テンキーユニット２０の電子基板が、タッチパネル１３や複合機１のコントローラー等に電気的に接続される。これにより、テンキーユニット２０からの入力が可能になる。
【００４６】
最後に、作業者は、下側ケース２５を上側ケース２４の裏面に重ね、操作ユニット１０の側にスライドさせ、一対のケースフック２６（図４参照）を接続開口部１２Ｃの縁部に形成された被係合部（図示せず）に係合させる。下側ケース２５によって、操作ユニット１０の接続開口部１２Ｃが閉塞されると共に外付フレーム２１の裏面やプラグコネクター２８が覆い隠される。なお、下側ケース２５は、フック等で上側ケース２４に固定してもよいし、ビス等を用いて上側ケース２４に固定してもよい（図示せず）。テンキーユニット２０の下方には十分なスペースがあるため、下側ケース２５を上側ケース２４にビス止めすることもできる。
【００４７】
以上によって、操作ユニット１０に対するテンキーユニット２０の取付作業が完了する。
【００４８】
以上説明した本実施形態に係るユニット取付構造３０によれば、テンキーユニット２０の係合フック３２を操作ユニット１０の係合穴３１に引っ掛け、且つテンキーユニット２０の嵌合凸部３４を操作ユニット１０の嵌合凹部３３に嵌合させることで、テンキーユニット２０を操作ユニット１０の右端面に固定することができる。これにより、工具を用いることなく、操作ユニット１０に対してテンキーユニット２０を容易に取り付けることができる。したがって、操作ユニット１０の右方に十分な作業スペースを確保できない場合であっても、テンキーユニット２０の取付作業を簡単に行うことができる。
【００４９】
また、本実施形態に係るユニット取付構造３０によれば、板状の嵌合凸部３４を嵌合凹部３３に噛み込ませることで、操作ユニット１０に対してテンキーユニット２０を確りと固定することができる。これにより、テンキーユニット２０にかかる荷重に耐えることができ、テンキーユニット２０を片持ち梁状に保持することができる。
【００５０】
また、本実施形態に係るユニット取付構造３０では、嵌合凸部３４を嵌合凹部３３に嵌合させることで、テンキーユニット２０（の電子基板）が接地される構成とした。この構成によれば、別途配線を必要とせず、操作ユニット１０に対するテンキーユニット２０の固定に伴ってテンキーユニット２０を接地させることができる。
【００５１】
なお、本実施形態に係るユニット取付構造３０では、係合穴３１が操作ユニット１０に設けられ、係合フック３２がテンキーユニット２０に設けられていたが、本発明はこれに限定されない。例えば、係合穴３１がテンキーユニット２０に設けられ、係合フック３２が操作ユニット１０に設けられてもよい。また、嵌合凹部３３が操作ユニット１０に設けられ、嵌合凸部３４がテンキーユニット２０に設けられていたが、本発明はこれに限定されない。例えば、嵌合凹部３３がテンキーユニット２０に設けられ、嵌合凸部３４が操作ユニット１０に設けられてもよい。
【００５２】
また、本実施形態に係るユニット取付構造３０では、係合穴３１と係合フック３２とが、２つずつ設けられていたが、これに限らず、これらは１つ以上設けられていればよい。また、嵌合凹部３３と嵌合凸部３４とが、１つずつ設けられていたが、これに限らず、これらは２つ以上設けられてもよい。
【００５３】
また、本実施形態に係るユニット取付構造３０では、嵌合凹部３３の舌片部３３Ａが、切抜き穴Ｈの右縁部を中心に切り起こされていたが、本発明はこれに限定されない。例えば、図８Ａに示すように、舌片部３３Ａは、切抜き穴Ｈの左縁部を中心に切り起こされてもよいし、図８Ｂに示すように、切抜き穴Ｈの前縁部を中心に切り起こされてもよい。これらの場合、嵌合凹部３３は、舌片部３３Ａと、切抜き穴Ｈを挟んで両側に位置する可動平板部１１Ａの一部とによって形成される。また、嵌合凹部３３には、１つの舌片部３３Ａが設けられていたが、これに限らず、複数の舌片部３３Ａが設けられてもよい（図示せず）。
【００５４】
また、本実施形態に係るユニット取付構造３０では、嵌合凹部３３が、可動平板部１１Ａに舌片部３３Ａを切り起こして形成されていたが、本発明はこれに限定されない。嵌合凹部３３が、可動平板部１１Ａに接着等で固定される別部品であってもよい。図９Ａに示すように、例えば、嵌合凹部４０は、２つの舌片部３３Ａを対向させた略Ｕ字状（コ字状）の部品であってもよい。また、図９Ｂに示すように、例えば、嵌合凹部４１は、複数（例えば、図９Ｂでは３つ）の舌片部３３Ａを上下方向および前後方向に互い違いに（千鳥状に）配置した部品であってもよい。
【００５５】
また、本実施形態に係るユニット取付構造３０では、テンキーユニット２０が前方から後方にスライドすることで、係合フック３２が係合穴３１に引っ掛かっていたが、本発明はこれに限定されない。例えば、係合フック３２の屈曲の向きを逆にして、テンキーユニット２０が後方から前方にスライドすることで、係合フック３２が係合穴３１に引っ掛かかるようにしてもよい。
【００５６】
また、本実施形態に係るユニット取付構造３０では、テンキーユニット２０が、操作ユニット１０の右端面に取り付けられていたが、これに限らず、操作ユニット１０の左端面等、右端面以外の外周面の何れかの面に取り付けられてもよい。
【００５７】
なお、本実施形態の説明では、一例として、本発明を複合機１に適用した場合を示したが、これに限らず、例えば、プリンター、複写機またはファクシミリ等に本発明を適用してもよい。
【００５８】
なお、上記実施形態の説明は、本発明に係るユニット取付構造および画像形成装置における一態様を示すものであって、本発明の技術範囲は、上記実施形態に限定されるものではない。
【符号の説明】
【００５９】
１    複合機（画像形成装置）
１０  操作ユニット
１１  可動フレーム（フレーム）
２０  テンキーユニット（外付ユニット）
２１  外付フレーム（フレーム）
３０  ユニット取付構造
３１  係合穴
３２  係合フック
３３，４０，４１  嵌合凹部
３４  嵌合凸部
Ｇ    アース
【図１】
2020064112.tif 000003
【図２】
2020064112.tif 000004
【図３】
2020064112.tif 000005
【図４】
2020064112.tif 000006
【図５】
2020064112.tif 000007
【図６】
2020064112.tif 000008
【図７】
2020064112.tif 000009
【図８Ａ】
2020064112.tif 000010
【図８Ｂ】
2020064112.tif 000011
【図９Ａ】
2020064112.tif 000012
【図９Ｂ】
2020064112.tif 000013